(57)【要約】【目的】写真や名刺、フレキシブルディスク（ＦＤ）、またはＭＯ、カレンダーなどの板状体を見易い状態に傾斜支持せしめ、また多数枚の前記板状体を整理格納すると共に適宜且つ容易に取出すことを可能ならしめる紙質または樹脂膜片などの板状体支持具を提供する。【構成】紙質その他の帯状板状材の中間部に所定の間隔を採り折曲部を配設してベース部、支持部と基座部を連結配設し、基座部の基端側に形成した係突部を支持部の端部に形成した係合孔に係脱させると共に前記ベース部の両側に抱持片を対設する。【選択図】　　　　図２
2004033662.tif 000002
【特許請求の範囲】
【請求項１】
紙質その他の帯状板状材の中間部に所定の間隔を採り折曲部を配設してベース部、支持部と基座部を連結配設し、基座部の基端側に形成した係突部を支持部の端部に形成した係合孔に係脱させると共に前記ベース部の両側に抱持片を対設したことを特徴とする板状体支持具。
【請求項２】
支持部のベース部側中央部に支持突部が突設されたことを特徴とする請求項１に記載の板状体支持具。
【請求項３】
ベース部の支持部側に先端部を支持部側に屈曲突出させた抱持片を対設したことを特徴とする請求項１、２項の何れか１つに記載の板状体支持具。
【請求項４】
支持部の基端側にベース部の先端部に形成された連結片挿脱孔を形成し、連結片の基端側に係合部を形成すると共に前記した連結片挿脱孔には該係合部に係止する係突部を設けたことを特徴とする請求項１〜３の何れか１つに記載の板状体支持具。
【発明の詳細な説明】
【０００１】
【産業上の利用分野】
本発明は板状体支持具に係り、写真や名刺、フレキシブルディスク（ＦＤ）、またはＭＯ、カレンダーなどの板状体を見易い状態に傾斜支持せしめ、また多数枚の前記板状体を整理格納すると共に適宜且つ容易に取出すことを可能ならしめる紙質または樹脂膜片などの板状体支持具を提供しようとするものである。
【０００２】
【従来の技術】
写真や名刺、フレキシブルディスク（ＦＤ）またはＭＯ、カレンダーなどの板状部体は机上などに単に載置したのでは散乱することとなり、適当に整理しておくことが好ましく、このような目的において見易い状態に支持する手段として写真立のような支持具を用いることは従来から種々に実施されている。
【０００３】
即ち、上記したような名刺、写真などを見易いように保持する従来の支持具としては支持板の背面に起倒可能な支持部を設けた程度のものであって、製作の容易性および低コスト性を確保したものとしては紙材または樹脂質フイルム材を用いるのが一般である。
【０００４】
勿論、木質材や金属材その他の硬質材によって写真立などを形成することも古くから種々に実施されている。即ちこのような木材や金属材による写真立などは美観性に優れ、強度性などをそれなりに高めることが可能であって美術品の如きとして多様な製品が得られ、各方面において夫々市販されている。
【０００５】
【発明が解決しようとする課題】
上記したような従来の技術によるものは成程写真や名刺などを見易い状態に保持することが可能であるとしても、相当の枚数となる写真や名刺、フレキシブルディスク（ＦＤ）などを適切に整理格納する上においてそれなりの不具合が残り、一般的にはそれらの写真やフレキシブルディスク（ＦＤ）などが机上などに散乱することが多く、少なくともそれらの物品を収容する容器などを準備しておくことが必要であって、折角の机上利用などが制限されることとならざるを得ない不利がある。
【０００６】
又特別精巧に製作された写真立などを準備することは大幅に高額な費用を必要とし、しかも該写真立または名刺用ケースなどに収容された名刺や写真は例えば写真立ての場合１〜２枚程度に限定され、名刺については大型の書籍様名刺入れを必要とするので、一般的には残部は机上などに漫然堆積ないし放置されて散乱されることとなり、室内の整理ないし美観性を損うこととなる。
【０００７】
なおこれらの整理目的において紙材の如きで形成、組立てされたものは組立て挿着関係に隙間が介在することが普通で、緊密且つ安定した組立て状態を形成し確保することが困難であり、従って不安定な写真や名刺立て状態となり、机上における載置支持状態とならざるを得ない。
【０００８】
上記のような写真立などにおいて、複数枚の写真や名刺、フレキシブルディスク（ＦＤ）などを載置することができても、単なる載置にすぎず、重ねられた写真などが不安定であって、風力などを受けることにより名刺などが散乱する可能性が高い。また折曲して形成された写真立てなどの組立て状態は解脱され易く、組立て状態が不安定である。
【０００９】
【課題を解決するための手段】
本発明は上記したような実情に鑑み検討を重ねて創案されたものであって、適当な厚さを有する紙材または樹脂質などのフイルム材その他の帯状材を用い、以下の如く構成するものである。
【００１０】
（１）　紙質その他の帯状板状材の中間部に所定の間隔を採り折曲部を配設してベース部、支持部と基座部を連結配設し、基座部の基端側に形成した係突部を支持部の端部に形成した係合孔に係脱させると共に前記ベース部の両側に抱持片を対設したことを特徴とする板状体支持具。
【００１１】
（２）　支持部のベース部側中央部に支持突部が突設されたことを特徴とする前記（１）項に記載の板状体支持具。
【００１２】
（３）　ベース部の支持部側に先端部を支持部側に屈曲突出させた抱持片を対設したことを特徴とする前記（１）（２）項の何れか１つに記載の板状体支持具。
【００１３】
（４）　支持部の基端側にベース部の先端部に形成された連結片挿脱孔を形成し、連結片の基端側に係合部を形成すると共に前記した連結片挿脱孔には該係合部に係止する係突部を設けたことを特徴とする前記（１）〜（３）項の何れか１つに記載の板状体支持具。
【００１４】
【作用】
紙質その他の帯状板状材の中間部に所定の間隔を採り折曲部を配設してベース部、支持部と基座部を連結配設し、基座部の基端側に形成した係突部を支持部の端部に形成した係合孔に係脱させると共に前記ベース部の両側に抱持片を対設したことにより紙質その他の帯状板状材を用いて立体的な写真や名刺、フレキシブルディスク（ＦＤ）その他の立体的な板状体支持具を簡易且つ低コストに提供せしめる。
【００１５】
支持部のベース部側中央部に支持突部が突設されたことにより比較的低姿勢且つ小型の支持部によって写真や名刺、フレキシブルディスク（ＦＤ）などの比較的大型の部体を安定状態に支持せしめ、好ましい展示状態を形成せしめる。
【００１６】
ベース部の支持部側に先端部を支持部側に屈曲突出させた抱持片を対設したことによって支持部やベース部より幅広な写真やフレキシブルディスク（ＦＤ）などを有効且つ安定に受入れ支持せしめて好ましい展示状態を形成せしめる。
【００１７】
支持部の基端側にベース部の先端部に形成された連結片挿脱孔を形成し、連結片の基端側に係合部を形成すると共に前記した連結片挿脱孔には該係合部に係止する係突部を設けたことによって挿入された連結部を的確に係止して安定な支持状態を形成し、多数の名刺や写真などが挿入支持せしめられた条件下においても安定な支持状態を形成維持せしめる。
【００１８】
【発明の実施の形態】
上記したような本発明によるものの具体的な実施態様を添付図面に示すものについて説明すると、本発明においては適当な厚さと強度をもった図１に示すような紙質または合成樹脂質の如きによる実質的に長方形の板状材１を用いるものであって、図１に示すように該板状材１の一端側から折曲部１２、１３が形成され、即ち板状材１の一端部から図２に示すように組立てられた支持具１０が目的とする写真や名刺などの受入支持をなすための所要の高さを得るのに必要な長さを一端側折り目１２から板状材１の長さ方向に採って中間折目１３を形成し、しかも該中間折目１３の中央部に折目１３を中断した状態でベース支承頭部９が形成され、また一端側折目１２から板状材１の端部までを基底部１４とすると共に折曲部１２より一端部側に基底部１４を連結形成し、該基底部１４の端部中央部に係突部１５が突設され、前記した折曲部１３より他端側に前記係突部１５に係止する係合孔１６が形成されている。
【００１９】
上記したような折曲部１３部分の両側にベース部１１から突出して対設されているのが抱持片１７であって、抱持端部１８、１８が板状材１の幅員域内に突出した状態に形成され、別に図２として示すような支持具としての使用状態において帯状板状体１上に載置される写真や名刺などの板状載置片２０における両側を抱持する。
【００２０】
折曲部１２、１３で折曲され、上記した基底部１４の端部に形成された係突部１５が板状体１の他端部に形成された前記基底部１４の係合孔１６に挿入係止されることにより係突部１５の基端側係止部１５ａが係合孔１６の比較的短小とされた係止端部１６ａに係止することとなり、安定した係止ロック状態が形成される。即ちベース部１１および基座部１４の有する復元作用力で係突部１５の基端側係止部１５ａが係合孔１６の外端側係止部１６ａに係止され、安定且つ的確な係止ロック状態を形成保持する。
【００２１】
なお前記した抱持部１７は折曲線１７ａより端部側が図２に示すように板状体１の前面側に倒れた状態とすることが可能で、それによって板状体１の前面に名刺や写真などの載置物を積層状態に載置することができ、格納状態とすることができ、展示状態に共用することが可能である。
【００２２】
【発明の効果】
以上説明したような本発明によるときは、紙質材または合成樹脂材などによって比較的簡易に製作準備することができ、それによって写真や名刺、フレキシブルディスク（ＦＤ）またはＭＯ、カレンダーなどの板状体を見易い状態に傾斜支持せしめ、特に多数枚の保管、格納を兼用した整理と展示を円滑に行わしめ、耐用性その他の特性にも卓越した利用を図らしめるものであるから、その効果の大きい発明であることは明らかである。
【図面の簡単な説明】
【図１】本発明による板状体支持具の切取り状態を示した平面図である。
【図２】本発明によるものの使用状態を示した斜面図である。
【符号の説明】
１　板状材
８　ベース支持端部
９　ベース支承頭部
１０　支持具
１１　ベース部
１２　一端側折目
１３　中間折目
１４　基底部
１５　係突部
１５ａ　基端側係止部
１６　係合孔
１６ａ　係止端部
１７　抱持片
１８　抱持端部
２０　板状載置片
【図１】
2004033662.tif 000003
【図２】
2004033662.tif 000004